(57)【特許請求の範囲】
【請求項１】
行列状に配置された複数の画素と各画素列に対応する複数の垂直転送路とを備え、Ｎ（Ｎは２以上の整数）フィールドの画像を読み出して１フレームの画像を形成するＮ:１インターレース読み出し方式の撮像素子と、
前記各フィールドの画像を読み出す前に前記垂直転送路の不要な電荷を掃き出す不要電荷掃き出し手段と、
前記不要な電荷の掃き出しを前記各フィールドの画像を読み出す毎に行なう第１掃き出しモードと、前記不要な電荷の掃き出しをｍ（ｍは自然数）フィールドおきに行なう第２掃き出しモードとを切り替える切り替え手段と、
を具備したことを特徴とする撮像装置。
【請求項２】
電源電圧を検出する電源電圧検出手段を備え、
前記切り替え手段は、前記電源電圧が所定の基準レベル以上の場合に前記第１掃き出しモードを選択し、前記電源電圧が前記所定の基準レベル未満の場合に前記第２掃き出しモードを選択することを特徴とする請求項１に記載の撮像装置。
【請求項３】
被写体輝度を検出する被写体輝度検出手段を備え、
前記切り替え手段は、前記被写体輝度が所定の基準レベル以上の場合に前記第１掃き出しモードを選択し、前記被写体輝度が前記所定の基準レベル未満の場合に前記第２掃き出しモードを選択することを特徴とする請求項１に記載の撮像装置。
【請求項４】
スミア量を検出するスミア検出手段を備え、
前記切り替え手段は、前記スミア量が所定の基準レベル以上の場合に前記第１掃き出しモードを選択し、前記スミア量が所定の基準レベル未満の場合に前記第２掃き出しモードを選択することを特徴とする請求項１に記載の撮像装置。
【発明の詳細な説明】
【０００１】
【発明の属する技術分野】
本発明は、デジタルカメラなど撮像素子を有する撮像装置に関する。
【０００２】
【従来の技術】
図９は、２：１インターレース方式を用いる撮像素子の一部構成を示す図である。この撮像素子では、ＡフィールドとＢフィールドが交互に複数列並んでいる。図９に示すようにＡフィールド、Ｂフィールドとも、２列の画素群からなる。１列目の各画素９１は、交互に赤（Ｒ）用と緑（Ｇ）用のフォトダイオード９２を有しており、２列目の各画素９１は、交互に緑（Ｇ）用と青（Ｂ）用のフォトダイオードを有している。また、各画素９１は、二つの電極９３，９３を有しており、これらは垂直転送路９４に接続されている。
【０００３】
図１０は、２：１インターレース読み出し方式の撮像素子の信号電荷の読み出し順を示す図である。図１０に示すように、２：１インターレース方式では、それぞれ１フィールドおきに並ぶＡフィールドとＢフィールドに対して、Ａフィールドの信号電荷を読み出し次にＢフィールドの信号電荷を読み出す動作を順次行なう。
【０００４】
従来の撮像装置では、撮像素子の１フィールドの信号電荷を読み出す前に、毎回転送ラインに残っている不要な電荷を、通常の転送に比べて高速で掃き出していた。これは、信号電荷を読み出す前までに転送ラインに蓄積された電荷が残っていると、スミアなどのノイズが発生し、正常な画像が得られなくなるからである。
【０００５】
上述したような不要電荷の高速掃き出しを行なう撮像装置に関する従来技術として、特公平５−６３９９５号公報、特開２０００−３２３４６号公報などがある。
【０００６】
【発明が解決しようとする課題】
しかしながら、不要電荷の掃き出しのために撮像素子をフィールド毎に高速で駆動すると、消費電力が増大する。このため、撮影中に電源電圧が低下し、撮影不可能になったり正常に動作しなくなるという不具合が生じるおそれがある。
【０００７】
本発明の目的は、電力の消費を少なし、撮影動作の信頼性を保つことができる撮像装置を提供することにある。
【０００８】
【課題を解決するための手段】
課題を解決し目的を達成するために、本発明の撮像装置は以下の如く構成されている。
【０００９】
（１）本発明の撮像装置は、行列状に配置された複数の画素と各画素列に対応する複数の垂直転送路とを備え、Ｎ（Ｎは２以上の整数）フィールドの画像を読み出して１フレームの画像を形成するＮ:１インターレース読み出し方式の撮像素子と、前記各フィールドの画像を読み出す前に前記垂直転送路の不要な電荷を掃き出す不要電荷掃き出し手段と、前記不要な電荷の掃き出しを前記各フィールドの画像を読み出す毎に行なう第１掃き出しモードと、前記不要な電荷の掃き出しをｍ（ｍは自然数）フィールドおきに行なう第２掃き出しモードとを切り替える切り替え手段と、から構成されている。
【００１０】
（２）本発明の撮像装置は上記（１）に記載の装置であり、かつ電源電圧を検出する電源電圧検出手段を備え、前記切り替え手段は、前記電源電圧が所定の基準レベル以上の場合に前記第１掃き出しモードを選択し、前記電源電圧が前記所定の基準レベル未満の場合に前記第２掃き出しモードを選択する。
【００１１】
（３）本発明の撮像装置は上記（１）に記載の装置であり、かつ被写体輝度を検出する被写体輝度検出手段を備え、前記切り替え手段は、前記被写体輝度が所定の基準レベル以上の場合に前記第１掃き出しモードを選択し、前記被写体輝度が前記所定の基準レベル未満の場合に前記第２掃き出しモードを選択する。
【００１２】
（４）本発明の撮像装置は上記（１）に記載の装置であり、かつスミア量を検出するスミア検出手段を備え、前記切り替え手段は、前記スミア量が所定の基準レベル以上の場合に前記第１掃き出しモードを選択し、前記スミア量が所定の基準レベル未満の場合に前記第２掃き出しモードを選択する。
【００１３】
上記手段を講じた結果、それぞれ以下のような作用を奏する。
【００１４】
（１）本発明の撮像装置によれば、撮像素子における不要な電荷の掃き出し回数を減らし必要最低限の消費電力で動作するよう切り替えることができるため、電力の消費を少なし、撮影動作の信頼性を保つことができる。
【００１５】
（２）本発明の撮像装置によれば、電源電圧に応じて、必要最低限の消費電力で動作する不要電荷の掃き出しモードに切り替えることができるので、撮像装置の電池寿命を長く保つことが可能となる。
【００１６】
（３）本発明の撮像装置によれば、被写体輝度に応じて、必要最低限の消費電力で動作する不要電荷の掃き出しモードに切り替えることができるので、撮像装置の電力の消費を少なくすることができる。
【００１７】
（４）本発明の撮像装置によれば、スミア量に応じて、必要最低限の消費電力で動作する不要電荷の掃き出しモードに切り替えることができるので、撮像装置の電力の消費を少なくすることができる。
【００１８】
【発明の実施の形態】
以下、本発明の実施の形態を図面を参照して説明する。
【００１９】
図１は、本発明の実施の形態に係る電子カメラ（撮像装置）の構成を示すブロック図である。
【００２０】
図１に示すように、バス１００には、メインＣＰＵ１、撮像回路２、ＡＥ処理部３、ＡＦ処理部４、画像処理回路５、不揮発性メモリ６、内蔵メモリ７、圧縮伸長部８、着脱メモリ９、ＬＣＤドライバ１０が接続されている。メインＣＰＵ１には、電源部１１、入力部１２、スピーカ１３、フォーカス制御部１０１、ズーム制御部１０２、絞り制御部１０３、シャッター制御部１０４、ＴＧ回路１４が接続されている。
【００２１】
フォーカス制御部１０１にはフォーカスレンズ１１１を駆動するモータ（ステップモータ）１２１が、ズーム制御部１０２にはズームレンズ１１２を駆動するモータ（ステップモータ）１２２が、絞り制御部１０３には絞り１１３を駆動するモータ（ステップモータ）１２３が、シャッター制御部１０４にはメカ（機械）シャッター１１４を駆動するモータ（ステップモータ）１２４が接続されている。ＴＧ回路１４には、ＣＣＤドライバ１５と撮像回路２が接続されている。ＣＣＤドライバ１５と撮像回路２にはＣＣＤからなる撮像素子１６が、ＬＣＤドライバ１０にはＬＣＤ表示部１７が接続されている。
【００２２】
図１において、撮影用のレンズ１１１，１１２の光路中にある絞り１１３を通過した被写体の光学像は、レンズ１１２の結像面に配置された撮像素子１６で電気信号に変換され、これら電気信号は、撮像回路２でアナログ画像信号に変換された後にＡ／Ｄ変換される。それらデジタル画像信号（以下、「画像情報」とも称する）は、一旦、揮発性の内蔵メモリ７に記憶される。この内蔵メモリ７は、高速な、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）からなり、画像一時記憶メモリ、画像処理用のワークエリアとしても使用される。
【００２３】
画像処理回路５は、内蔵メモリ７に一時記憶された画像情報の色情報の変換処理、画素数変換などの処理を行なう。そして、画像処理回路５でさまざまな画像処理を受けた画像情報は、圧縮伸長部８で例えばＪＰＥＧ圧縮されて、スマートメディア等の着脱メモリ９に記録される。また、撮影画像を表示する場合には、画像処理後の画像情報は、ＬＣＤドライバ１０を介して、画像表示用のＬＣＤ１７に表示される。
【００２４】
着脱メモリ９に記録された画像を表示する場合には、着脱メモリ９から読み出された画像情報は圧縮伸長部８で伸長されて、画像処理回路５で所定の画像処理がなされる。その後、撮影の時と同様に、画像表示用のＬＣＤ１７に画像が表示される。
【００２５】
メインＣＰＵ１は、フラッシュメモリ等の不揮発性メモリ６から電子カメラの基本制御プログラムを読み出して、電子カメラ全体の制御を行なう。メインＣＰＵ１は、入力部１２からの入力を受け付けて、その入力に応じた制御を行なう。入力部１２は、図示しないシャッターボタン（撮影動作を開始するための１ｓｔレリーズスイッチと、これに連動し露光動作を開始するための２ｎｄレリーズスイッチとからなる）等を有している。また、メインＣＰＵ１は、警告等の音声をスピーカ１３から発生させる。さらにメインＣＰＵ１は、電池を備える電源部１１を制御して電子カメラ全体の電源管理も行なう。
【００２６】
メインＣＰＵ１は、フォーカス制御部１０１とモータ１２１を介してフォーカスレンズ１１１を駆動制御し、ズーム制御部１０２とモータ１２２を介してズームレンズ１１２を駆動制御し、絞り制御部１０３とモータ１２３を介して絞り１１３を駆動制御するとともに、シャッター制御部１０４とモータ１２４を介してメカシャッター１１４を駆動制御する。またメインＣＰＵ１は、ＴＧ回路１４の電子シャッターパルス出力を制御することで、ＣＣＤドライバ１５を介して撮像素子１６に対して素子シャッター制御を行なうとともに、撮像回路１５の制御を行なう。
【００２７】
またメインＣＰＵ１は、撮影者による入力部１２からのズーム指示に対応してズーム倍率を算出し、その倍率に応じたステップ数をズーム制御部１０２を介してモータ１２２に与えてズームレンズ１１２を駆動制御する。
【００２８】
図２は、４：１インターレース方式を用いる撮像素子１６の一部構成を示す図である。撮像素子１６では、Ａフィールド、Ｂフィールド、Ｃフィールド、Ｄフィールドが連続して複数列並んでいる。図２に示すようにＡフィールド、Ｂフィールド、Ｃフィールド、Ｄフィールドとも、２列の画素群からなる。１列目の各画素２１は、交互に赤（Ｒ）用と緑（Ｇ）用のフォトダイオード２２を有しており、２列目の各画素２１は、交互に緑（Ｇ）用と青（Ｂ）用のフォトダイオードを有している。また、各画素２１は、一つの電極２３を有しており、これらは垂直転送路２４に接続されている。
【００２９】
図３は、４：１インターレース読み出し方式の撮像素子１６の信号電荷の読み出し順を示す図である。図３に示すように、４：１インターレース方式では、それぞれ３フィールドおきに並ぶＡフィールド、Ｂフィールド、Ｃフィールド、及びＤフィールドに対して、Ａフィールド、Ｂフィールド、Ｃフィールド、Ｄフィールドの順で信号電荷を読み出す動作を順次行なう。なお、Ｎ:１インターレース読み出し方式（Ｎは２以上の整数）では、Ｎフィールドの画像を読み出して１フレームの画像を形成する。
【００３０】
図４は、上記電子カメラの動作のタイミングチャートであり、１フィールド毎に高速掃き出しを実施する場合を示している。
【００３１】
撮影者により入力部１２のシャッターボタンがＯＮ操作された場合、メインＣＰＵ１は垂直同期信号を出力し、ＴＧ回路１４は、この垂直同期信号に同期した電子シャッターパルスと垂直転送パルスをＣＣＤドライバ１５へ出力している。また、メインＣＰＵ１がシャッター制御部１０４によりモータ１２４を駆動することで、メカシャッター１１４が開いている。これにより、ＣＣＤドライバ１５が撮像素子１６に対して素子シャッター制御を行ない、ＡＥ処理、ＡＦ処理が行なわれた後、本露光（撮影）が行なわれる。
【００３２】
そしてＴＧ回路１４が、本露光の開始に合わせてＣＣＤドライバ１５へ出力している電子シャッターパルスを停止すると露光開始となり、メインＣＰＵ１がシャッター制御部１０４によりモータ１２４を駆動することで、メカシャッター１１４を閉じると露光終了となる。その後、ＴＧ回路１４は前記垂直同期信号の立ち下がりに同期してＣＣＤドライバ１５への図示しない電荷読み出しパルスの出力を所定時間中断する。なお、前記電荷読み出しパルスの出力は前記垂直同期信号の１周期毎に計４回中断される。この各中断時に、ＣＣＤドライバ１５は、読み出しが行なわれる１フィールドにおける垂直転送路２４の不要電荷の高速掃き出しを実施する。すなわち、不要電荷の高速掃き出しは計４回行なわれる。そしてＣＣＤドライバ１５は、不要電荷の高速掃き出しが行なわれた１フィールドから撮像回路２へ電気信号を読み出す。
【００３３】
このように、Ａフィールドで垂直転送路２４の不要電荷の高速掃き出しが実施された後、Ａフィールドの各画素２１の電極２３から垂直転送路２４を介して信号電荷が読み出され、次にＢフィールドで垂直転送路２４の不要電荷の高速掃き出しが実施された後、Ｂフィールドの各画素２１の電極２３から垂直転送路２４を介して信号電荷が読み出され、次にＣフィールドで垂直転送路２４の不要電荷の高速掃き出しが実施された後、Ｃフィールドの各画素２１の電極２３から垂直転送路２４を介して信号電荷が読み出され、次にＤフィールドで垂直転送路２４の不要電荷の高速掃き出しが実施された後、Ｄフィールドの各画素２１の電極２３から垂直転送路２４を介して信号電荷が読み出される。
【００３４】
図５は、上記電子カメラの動作のタイミングチャートであり、２フィールド毎に高速掃き出しを実施する場合を示している。図４と同様の動作により本露光（撮影）が行なわれ、ＴＧ回路１４が、本露光の開始に合わせてＣＣＤドライバ１５へ出力している電子シャッターパルスを停止すると、露光開始となり、メインＣＰＵ１が、シャッター制御部１０４によりモータ１２４を駆動することで、メカシャッター１１４を閉じると露光終了となる。その後、ＴＧ回路１４は前記垂直同期信号の立ち下がりに同期してＣＣＤドライバ１５への図示しない電荷読み出しパルスを所定時間中断する。なお、前記電荷読み出しパルスの出力は前記垂直同期信号の２周期毎に計２回中断される。この各中断時に、ＣＣＤドライバ１５は、読み出しが行なわれる２フィールドにおける垂直転送路２４の不要電荷の高速掃き出しを実施する。すなわち、不要電荷の高速掃き出しは計２回行なわれる。そしてＣＣＤドライバ１５は、不要電荷の高速掃き出しが行なわれた２フィールドから撮像回路２へ電気信号を読み出す。
【００３５】
このように、ＡフィールドとＢフィールドで垂直転送路２４の不要電荷の高速掃き出しが実施された後、ＡフィールドとＢフィールドの各画素２１の電極２３から垂直転送路２４を介して信号電荷が読み出され、次にＣフィールドとＤフィールドで垂直転送路２４の不要電荷の高速掃き出しが実施された後、ＣフィールドとＤフィールドの各画素２１の電極２３から垂直転送路２４を介して信号電荷が読み出される。
【００３６】
図６は、上記電子カメラの第１の動作手順を示すフローチャートである。以下、図６に沿い、電池残量に基づく制御について説明する。なお、撮影者による入力部１２のシャッターボタンのＯＮ操作は、１ｓｔレリーズスイッチのＯＮ操作と２ｎｄレリーズスイッチのＯＮ操作からなる。まずステップＳ１で、１ｓｔレリーズがＯＮになると、メインＣＰＵ１は、ステップＳ２でＡＥ動作を行ない、ステップＳ３でＡＦ動作を行なう。
【００３７】
次にメインＣＰＵ１は、ステップＳ４で、電源部１１の電池の残容量（使用可能な電力量）が所定量未満の場合、ステップＳ５で、内部変数‘Ｌｏｗ−Ｂａｔｔ’に「１」を設定する。また、ステップＳ４で、電源部１１の電池の残容量（使用可能な電力量、電源電圧値）が前記所定量以上の場合、ステップＳ６で、メインＣＰＵ１は内部変数‘Ｌｏｗ−Ｂａｔｔ’に「０」を設定する。
【００３８】
続いてステップＳ７で、２ｎｄレリーズがＯＮになると、メインＣＰＵ１は、ステップＳ８で本露光動作を行なう。そしてメインＣＰＵ１は、ステップＳ９で、上記内部変数‘Ｌｏｗ−Ｂａｔｔ’が「１」である場合、ステップＳ１０で、図５に示した２フィールド毎の高速掃き出しを実施し、ステップＳ９で、上記内部変数‘Ｌｏｗ−Ｂａｔｔ’が「０」である場合、ステップＳ１１で、図４に示した１フィールド毎の高速掃き出しを実施する。
【００３９】
上記第１の動作手順では、電池残量が少ない場合、小電力で動作する不要電荷の掃き出しモードに切り替えることができるので、撮像装置の電池寿命を長く保つことが可能となる。なお、１フィールド毎の高速掃き出しと２フィールド毎の高速掃き出しとを比べると、１フィールド毎の方が不要電荷の掃き出しをより効果的に行なえるが、２フィールド毎であっても、良好な撮像を行なうのに十分な不要電荷の掃き出しを行なえる。
【００４０】
図７は、上記電子カメラの第２の動作手順を示すフローチャートである。以下、図７に沿い、被写体輝度に基づく制御について説明する。まずステップＳ２１で、１ｓｔレリーズがＯＮになると、メインＣＰＵ１は、ステップＳ２２でＡＥ動作を行なう。
【００４１】
次にメインＣＰＵ１は、ステップＳ２３で、ＡＥ処理部３で検出された被写体輝度が所定値未満の場合、ステップＳ２４で、内部変数‘Ｂｖ−Ｌｏｗ’に「１」を設定する。また、ステップＳ２３で、ＡＥ処理部３で検出された被写体輝度が前記所定値以上の場合、ステップＳ２５で、メインＣＰＵ１は内部変数‘Ｂｖ−Ｌｏｗ’に「０」を設定する。次にメインＣＰＵ１は、ステップＳ２６でＡＦ動作を行なう。
【００４２】
続いてステップＳ２７で、２ｎｄレリーズがＯＮになると、メインＣＰＵ１は、ステップＳ２８で本露光動作を行なう。そしてメインＣＰＵ１は、ステップＳ２９で、上記内部変数‘Ｂｖ−Ｌｏｗ’が「１」である場合、ステップＳ３０で、図５に示した２フィールド毎の高速掃き出しを実施し、ステップＳ２９で、上記内部変数‘Ｂｖ−Ｌｏｗ’が「０」である場合、ステップＳ３１で、図４に示した１フィールド毎の高速掃き出しを実施する。
【００４３】
上記第２の動作手順では、被写体輝度が低い場合、不要電荷は少ないことが予想されるため、小電力で動作する不要電荷の掃き出しモードに切り替え、撮像装置の電力の消費を少なくすることができる。
【００４４】
図８は、上記電子カメラの第３の動作手順を示すフローチャートである。以下、図８に沿い、被写体輝度に基づく制御について説明する。まずステップＳ４１で、１ｓｔレリーズがＯＮになると、メインＣＰＵ１は、ステップＳ４２でＡＥ動作を行ない、ステップＳ４３でスミア検出を行なう。このスミア検出を行なう場合、メインＣＰＵ１はＴＧ回路１４からＣＣＤドライバ１５への電荷読み出しパルスの出力を中断し、ＣＣＤドライバ１５は各フィールドにおける垂直転送路２４から撮像回路２へ電気信号を読み出す。この電気信号はＡＥ処理部３で処理され、各垂直転送路２４のスミア量を示すデータが積算される。メインＣＰＵ１は、このデータを基に全スミア量を検出する。
【００４５】
次にメインＣＰＵ１は、ステップＳ４４で、検出されたスミア量が所定量未満の場合、ステップＳ４５で、内部変数‘Ｓｍ−Ｌｏｗ’に「１」を設定する。また、ステップＳ４４で、検出されたスミア量が前記所定量以上の場合、ステップＳ４６で、メインＣＰＵ１は内部変数‘Ｓｍ−Ｌｏｗ’に「０」を設定する。次にメインＣＰＵ１は、ステップＳ４７でＡＦ動作を行なう。
【００４６】
続いてステップＳ４８で、２ｎｄレリーズがＯＮになると、メインＣＰＵ１は、ステップＳ４９で本露光動作を行なう。そしてメインＣＰＵ１は、ステップＳ５０で、上記内部変数‘Ｓｍ−Ｌｏｗ’が「１」である場合、ステップＳ５１で、図５に示した２フィールド毎の高速掃き出しを実施し、ステップＳ５０で、上記内部変数‘Ｓｍ−Ｌｏｗ’が「０」である場合、ステップＳ５２で、図４に示した１フィールド毎の高速掃き出しを実施する。
【００４７】
上記第３の動作手順では、スミア量が少ない場合、不要電荷は少ないことが予想されるため、小電力で動作する不要電荷の掃き出しモードに切り替え、撮像装置の電力の消費を少なくすることができる。
【００４８】
なお、本発明は上記実施の形態のみに限定されず、要旨を変更しない範囲で適宜変形して実施できる。
【００４９】
【発明の効果】
本発明によれば、電力の消費を少なし、撮影動作の信頼性を保つことができる撮像装置を提供できる。
【図面の簡単な説明】
【図１】本発明の実施の形態に係る電子カメラ（撮像装置）の構成を示すブロック図。
【図２】本発明の実施の形態に係る４：１インターレース方式を用いる撮像素子の一部構成を示す図。
【図３】本発明の実施の形態に係る４：１インターレース方式の上記電子カメラにおける撮像素子の信号電荷の読み出し順を示す図。
【図４】本発明の実施の形態に係る電子カメラの動作のタイミングチャート。
【図５】本発明の実施の形態に係る電子カメラの動作のタイミングチャート。
【図６】本発明の実施の形態に係る電子カメラの第１の動作手順を示すフローチャート。
【図７】本発明の実施の形態に係る電子カメラの第２の動作手順を示すフローチャート。
【図８】本発明の実施の形態に係る電子カメラの第３の動作手順を示すフローチャート。
【図９】従来例に係る２：１インターレース方式を用いる撮像素子の一部構成を示す図。
【図１０】従来例に係る２：１インターレース方式の撮像装置における撮像素子の信号電荷の読み出し順を示す図。
【符号の説明】
１…メインＣＰＵ
２…撮像回路
３…ＡＥ処理部
４…ＡＦ処理部
５…画像処理回路
６…不揮発性メモリ
７…内蔵メモリ
８…圧縮伸長部
９…着脱メモリ
１０…ＬＣＤドライバ
１１…電源部
１２…入力部
１３…スピーカ
１４…ＴＧ回路
１５…ＣＣＤドライバ
１６…撮像素子
１７…ＬＣＤ表示部
１００…バス
１０１…フォーカス制御部
１０２…ズーム制御部
１０３…絞り制御部
１０４…シャッター制御部
１１１…フォーカスレンズ
１１２…ズームレンズ
１１３…絞り
１１４…メカ（機械）シャッター
１２１…モータ
１２２…モータ
１２３…モータ
１２４…モータ
２１…画素
２２…フォトダイオード
２３…電極
２４…垂直転送路
【図１】
0004050063.tif 000002
【図２】
0004050063.tif 000003
【図３】
0004050063.tif 000004
【図４】
0004050063.tif 000005
【図５】
0004050063.tif 000006
【図６】
0004050063.tif 000007
【図７】
0004050063.tif 000008
【図８】
0004050063.tif 000009
【図９】
0004050063.tif 000010
【図１０】
0004050063.tif 000011